(57)【特許請求の範囲】
【請求項１】
気相にある揮発性及び半揮発性の有機化合物のためのフォーカス装置であって、
（ａ）チューブ状要素（１０）からなり、当該チューブ状要素（１０）の中央部分（１２）が分析されるべき有機化合物のトラップを構成してなる容器（１２）と、
（ｂ）前記容器（１２）に対して移動可能な単一ブロック（１４）と、
（ｃ）前記有機化合物を冷却するための冷却要素（１８）及び前記有機化合物を加熱するための加熱要素（１６）であって、前記容器（１２）のトラップが前記ブロック（１４）の一端部で冷却要素（１８）によって囲まれ、前記ブロック（１４）の他端部で加熱要素（１６）によって囲まれるように位置づけられてなる加熱要素（１６）及び冷却要素（１８）と、
（ｆ）一端においてプレート（６）によって支持され、他端において他のプレート（６‘）によって支持された支持部材（２）と
を備え、
（ｇ）前記ブロック（１４）は２つの端部間で移動可能であり、当該２つの端部のうちの一端部において、前記冷却装置（１８）が前記容器（１２）の前記トラップを囲み、前記有機化合物を凝縮するために、前記トラップに収容された有機化合物を冷却できるように配置され、同時に前記加熱要素（１６）は予め設定された作業温度に達しているように電力が供給され、かつ前記加熱要素（１６）は前記トラップから横にずらされ、
（ｈ）前記２つの端部のうちの他端部において、前記加熱要素（１６）が前記トラップと向かい合うようにされ、既に作業温度に達した加熱要素（１６）によって前記トラップ内に含まれる前記有機化合物が加熱されてなる
ことを特徴とするフォーカス装置。
【請求項２】
（ａ）チューブ状要素（１０）からなり、当該チューブ状要素（１０）の中央部分（１２）が分析されるべき有機化合物のトラップを構成してなる容器（１２）と、
（ｂ）前記容器（１２）に対して２つの端部間で移動可能な単一ブロック（１４）と、
（ｃ）前記有機化合物を冷却するための冷却要素（１８）及び前記有機化合物を加熱するための加熱要素（１６）であって、前記容器（１２）のトラップが前記ブロック（１４）の一端部で冷却要素（１８）によって囲まれ、前記ブロック（１４）の他端部で加熱要素（１６）によって囲まれるように位置づけられてなる加熱要素（１６）及び冷却要素（１８）と、
（ｆ）一端においてプレート（６）によって支持され、他端において他のプレート（６‘）によって支持された支持部材（２）と
を備えたフォーカス装置を用いたフォーカス方法であって、
（Ａ）前記ブロック（１４）が、前記２つの端部のうちの一端部において、前記冷却装置（１８）が前記容器（１２）の前記トラップを囲み、前記有機化合物を凝縮するために、前記トラップに収容された有機化合物を冷却できるように配置し、同時に、前記加熱要素（１６）が予め設定された作業温度に達するように電力を供給し、かつ前記加熱要素（１６）を前記トラップから横にずらす工程と、
（Ｂ）前記工程（Ｂ）の後に、前記２つの端部のうちの他端部において、前記加熱要素（１６）を前記トラップと向かい合うように配置し、前記工程（Ａ）において、既に作業温度に達した加熱要素（１６）によって前記トラップ内に含まれる前記有機化合物を加熱する工程と
を含んでなることを特徴とするフォーカス方法。
【発明の詳細な説明】
【０００１】
（発明の技術分野）
本発明は、気相にある揮発性及び半揮発性の有機化合物のためのフォーカス装置に関する。
【０００２】
分析機器、特にガスクロマトグラフィーにおいて使用されるフォーカス・トラップは、気相において存在する揮発性及び半揮発性化合物を、それらが分析システムに移動される前に凝縮するものとして知られている。
前記有機化合物は、フォーカス・トラップを冷却することによって凝縮され、そのトラップを加熱することによって分析システムに移動される。
既知のフォーカス・トラップでは、そのオペレーションの間、加熱システム及び冷却システムがトラップに対して固定された位置にあり、このトラップは先行する冷却段階の終了時においてのみ加熱される。
【０００３】
既知のフォーカス・トラップの欠点は、低温（凝縮段階）から高温（移動段階）への移行をより迅速に且つ優れたものとするアプリケーション性能が、ヒーターの温度上昇速度に関連する充分でないトラップ加熱速度によって制限されることであり、ヒーターは冷たい状態から始動しなければならないので、予め設定された温度に到達して安定するまでに数秒かかるということである。
別の欠点は、加熱要素と冷却要素の間で起こり得る相互作用の存在である。
【０００４】
本発明によればこのような欠点は、請求項１に記載されるような、気相にある揮発性及び半揮発性有機化合物をフォーカスする装置によって克服される。
【０００５】
本発明の好ましい実施形態は、添付された図を参照して以下詳細に詳述される。
図から見て取れるように、本発明の装置は、平行支柱４を備えた支持部材２を含み、この支持部材はその両端において２つのプレート６、６’によって支持される。
適切なコネクタ８、８’の手段によって、２つのプレート６、６’は、中央部分１２が分析される有機化合物のための「トラップ」を構成するチューブ１０を支持する。
構造２の内部には、支柱４に沿ってスライド可能なブロック１４が設けられ、電気ヒーター１６及び電気クーラー１８はこのブロックに取り付けられる。
前記ブロック１４は接続ロッド及びクランク・システムにより、支柱４に沿うように動かされる。尚、このクランク・システムは本発明の部分を構成せず、図に示されることもなく、単にここに引用されている。
ブロック１４に対するヒーター１６及びクーラー１８の位置は、トラップ１２が、ブロック１４の一端部ではクーラー１８によって囲まれ、逆にブロック１４の他端部ではヒーター１６によって囲まれるような位置である。
【０００６】
本発明の装置は以下のように機能する。最初にブロック１４は、クーラー１８がトラップ１２を囲み（図１参照）、有機化合物を凝縮するために、トラップに収容された有機化合物を冷却できるように配置される。同時にヒーター１６は、予め設定された作業温度に既に達しているように電力を供給され、トラップ１２から横にずらされる。
予定された作業サイクルに基づいてトラップが冷却されると、ヒーター１６がトラップ１２に向かい合うように、ブロック１４は支柱４に沿ってスライドし（図２参照）、既にその作業温度に達したヒーターが、トラップ内に含まれる有機化合物を必要速度で加熱するようにする。
この段階の終了時に、加熱された有機化合物はガスクロマトグラフィーへ移動される。
【０００７】
前述された事柄から、トラップが冷却段階から加熱段階へ進むとき、その目的で提供される２つの要素１６、１８を電気的にスイッチを入れたり切ったりすることにより、静的にではなく、代わりに、常にその作業温度に維持される要素１６及び要素１８を移動させることにより動的に、トラップは予め決定されたオペレーティング状態に、より迅速に到達することができる。特にトラップ１２の加熱は、ヒーターがトラップに向かい合う時、ヒーターはセット温度に既に定まっているので、冷却段階直後の開始段階において特に迅速である。
【０００８】
この迅速な加熱の長所により、分析システムへの移動は、より効果的で迅速なものとなる。更に本発明の装置により、加熱要素と冷却要素との間に熱の相互作用はない。
【図面の簡単な説明】
【図１】  冷却状態にある本発明のフォーカス装置の概略図である。
【図２】  加熱状態にある本発明のフォーカス装置の概略図である。
【図１】
0004658242.tif 000002
【図２】
0004658242.tif 000003